(57)【要約】【課題】より効果的にノイズを除去する。【解決手段】色空間変換部は、入力画像を表現する第１の色空間を、第２の色空間に変換し、周波数変換部は、第２の色空間で表現される入力画像を周波数成分に変換し、CSF設定部は、第２の色空間に対応するCSF（Contrast Sensitivity Function）を設定し、レベル制御部は、CSFに応じて、入力画像の周波数成分のレベルを帯域毎に制御する。本技術は、画像に対して、ノイズリダクション処理を施す画像処理装置に適用することができる。【選択図】図１
2014044645.tif 000002
【特許請求の範囲】
【請求項１】
入力画像を表現する第１の色空間を、第２の色空間に変換する色空間変換部と、
前記第２の色空間で表現される前記入力画像を周波数成分に変換する周波数変換部と、
前記第２の色空間に対応するCSF（Contrast Sensitivity Function）を設定するCSF設定部と、
前記CSFに応じて、前記入力画像の周波数成分のレベルを帯域毎に制御するレベル制御部と
を備える画像処理装置。
【請求項２】
前記入力画像の周波数成分に前記CSFを乗算する乗算部をさらに備え、
前記レベル制御部は、前記CSFが乗算された前記入力画像の周波数成分を表すパワースペクトルレベルを帯域毎に制御する
請求項１に記載の画像処理装置。
【請求項３】
前記レベル制御部は、
前記入力画像に関するパラメータに応じて、前記入力画像の理想的な周波数成分としてのパワースペクトルを表すフィルタバンドを設定するフィルタバンド設定部と、
前記フィルタバンドを用いて、前記入力画像のパワースペクトルレベルを帯域毎に調整するレベル調整部とを備える
請求項２に記載の画像処理装置。
【請求項４】
前記フィルタバンド設定部は、前記入力画像のパラメータに応じた周波数成分の帯域幅およびパワースペクトルレベルの前記フィルタバンドを設定する
請求項３に記載の画像処理装置。
【請求項５】
前記レベル調整部は、前記フィルタバンドの各帯域に対応するBPF（Band Pass Filter）を用いて、前記入力画像のパワースペクトルレベルを帯域毎に調整する
請求項３に記載の画像処理装置。
【請求項６】
前記入力画像に関するパラメータを設定するパラメータ設定部をさらに備える
請求項３に記載の画像処理装置。
【請求項７】
入力画像を表現する第１の色空間を、第２の色空間に変換する色空間変換部と、
前記第２の色空間で表現される前記入力画像を周波数成分に変換する周波数変換部と、
前記第２の色空間に対応するCSF（Contrast Sensitivity Function）を設定するCSF設定部と、
前記CSFに応じて、前記入力画像の周波数成分のレベルを帯域毎に制御するレベル制御部とを備える画像処理装置の画像処理方法であって、
前記画像処理装置が、
入力画像を表現する第１の色空間を、第２の色空間に変換し、
前記第２の色空間で表現される前記入力画像を周波数成分に変換し、
前記第２の色空間に対応するCSFを設定し、
前記CSFに応じて、前記入力画像の周波数成分のレベルを帯域毎に制御する
ステップを含む画像処理方法。
【請求項８】
コンピュータを、
入力画像を表現する第１の色空間を、第２の色空間に変換する色空間変換部と、
前記第２の色空間で表現される前記入力画像を周波数成分に変換する周波数変換部と、
前記第２の色空間に対応するCSF（Contrast Sensitivity Function）を設定するCSF設定部と、
前記CSFに応じて、前記入力画像の周波数成分のレベルを帯域毎に制御するレベル制御部と
して機能させるためのプログラム。
【請求項９】
入力画像を表現する第１の色空間を、第２の色空間に変換する色空間変換部と、
前記第２の色空間で表現される前記入力画像を周波数成分に変換する周波数変換部と、
前記第２の色空間に対応するCSF（Contrast Sensitivity Function）を設定するCSF設定部と、
前記CSFに応じて、前記入力画像の周波数成分のレベルを帯域毎に制御するレベル制御部とを備える画像処理部
を備える電子機器。
【発明の詳細な説明】
【技術分野】
【０００１】
本技術は、画像処理装置および方法、プログラム、並びに電子機器に関し、特に、ノイズを除去することができるようにする画像処理装置および方法、プログラム、並びに電子機器に関する。
【背景技術】
【０００２】
従来、画像に対して、ノイズを除去するノイズリダクション処理を施すことが行われている。
【０００３】
例えば、注目画素に対する周辺画素の差分値が閾値以内である周辺画素値を用いて、注目画素のノイズを抑制する手法がある（例えば、特許文献１参照）。
【０００４】
また、輝度信号の周波数成分が予め与えられた閾値より小さい場合に、対応する色差信号の周波数成分を除去することで、ノイズを低減する手法がある（例えば、特許文献２参照）。
【先行技術文献】
【特許文献】
【０００５】
【特許文献１】特開２００６−６０７４４号公報
【特許文献２】特開２００３−２２４８６１号公報
【発明の概要】
【発明が解決しようとする課題】
【０００６】
しかしながら、特許文献１の手法を、空間的に微細な変化をもつ画像に対して用いた場合、微細な変化をもつ部分はつぶされ、解像度の劣化につながってしまう。
【０００７】
また、特許文献２の手法は、閾値のみによってノイズ除去の要否判定を行うものであるので、特定の周波数帯域のノイズを効果的に抑制することはできない。具体的には、特許文献２の手法では、人間の視覚特性が考慮されないので、解像度に対して感度の高い周波数帯域に強いノイズリダクション処理をかけたり、ノイズに対して感度が高い周波数帯域に弱いノイズリダクション処理をかけてしまう恐れがある。結果として、得られる画像は、解像度が低下しノイズが除去されない、画質が劣化した画像となる恐れがある。
【０００８】
本技術は、このような状況に鑑みてなされたものであり、より効果的にノイズを除去することができるようにするものである。
【課題を解決するための手段】
【０００９】
本技術の一側面の画像処理装置は、入力画像を表現する第１の色空間を、第２の色空間に変換する色空間変換部と、前記第２の色空間で表現される前記入力画像を周波数成分に変換する周波数変換部と、前記第２の色空間に対応するCSF（Contrast Sensitivity Function）を設定するCSF設定部と、前記CSFに応じて、前記入力画像の周波数成分のレベルを帯域毎に制御するレベル制御部とを備える。
【００１０】
前記画像処理装置には、前記入力画像の周波数成分に前記CSFを乗算する乗算部をさらに設け、前記レベル制御部には、前記CSFが乗算された前記入力画像の周波数成分を表すパワースペクトルレベルを帯域毎に制御させることができる。
【００１１】
前記レベル制御部には、前記入力画像に関するパラメータに応じて、前記入力画像の理想的な周波数成分としてのパワースペクトルを表すフィルタバンドを設定するフィルタバンド設定部と、前記フィルタバンドを用いて、前記入力画像のパワースペクトルレベルを帯域毎に調整するレベル調整部とを設けることができる。
【００１２】
前記フィルタバンド設定部には、前記入力画像のパラメータに応じた周波数成分の帯域幅およびパワースペクトルレベルの前記フィルタバンドを設定させることができる。
【００１３】
前記レベル調整部には、前記フィルタバンドの各帯域に対応するBPF（Band Pass Filter）を用いて、前記入力画像のパワースペクトルレベルを帯域毎に調整させることができる。
【００１４】
前記画像処理装置には、前記入力画像に関するパラメータを設定するパラメータ設定部をさらに設けることができる。
【００１５】
本技術の一側面の画像処理方法は、入力画像を表現する第１の色空間を、第２の色空間に変換する色空間変換部と、前記第２の色空間で表現される前記入力画像を周波数成分に変換する周波数変換部と、前記第２の色空間に対応するCSF（Contrast Sensitivity Function）を設定するCSF設定部と、前記CSFに応じて、前記入力画像の周波数成分のレベルを帯域毎に制御するレベル制御部とを備える画像処理装置の画像処理方法であって、前記画像処理装置が、入力画像を表現する第１の色空間を、第２の色空間に変換し、前記第２の色空間で表現される前記入力画像を周波数成分に変換し、前記第２の色空間に対応するCSFを設定し、前記CSFに応じて、前記入力画像の周波数成分のレベルを帯域毎に制御するステップを含む。
【００１６】
本技術の一側面のプログラムは、コンピュータを、入力画像を表現する第１の色空間を、第２の色空間に変換する色空間変換部と、前記第２の色空間で表現される前記入力画像を周波数成分に変換する周波数変換部と、前記第２の色空間に対応するCSF（Contrast Sensitivity Function）を設定するCSF設定部と、前記CSFに応じて、前記入力画像の周波数成分のレベルを帯域毎に制御するレベル制御部として機能させる。
【００１７】
本技術の一側面の電子機器は、入力画像を表現する第１の色空間を、第２の色空間に変換する色空間変換部と、前記第２の色空間で表現される前記入力画像を周波数成分に変換する周波数変換部と、前記第２の色空間に対応するCSF（Contrast Sensitivity Function）を設定するCSF設定部と、前記CSFに応じて、前記入力画像の周波数成分のレベルを帯域毎に制御するレベル制御部とを備える画像処理部を備える。
【００１８】
本技術の一側面においては、入力画像を表現する第１の色空間が、第２の色空間に変換され、第２の色空間で表現される入力画像が周波数成分に変換され、第２の色空間に対応するCSFが設定され、CSFに応じて、入力画像の周波数成分のレベルが帯域毎に制御される。
【発明の効果】
【００１９】
本技術の一側面によれば、より効果的にノイズを除去することが可能となる。
【図面の簡単な説明】
【００２０】
【図１】本技術を適用した画像処理装置の一実施の形態の構成例を示すブロック図である。
【図２】レベル制御部の構成例を示すブロック図である。
【図３】ノイズリダクション処理について説明するフローチャートである。
【図４】周波数変換について説明する図である。
【図５】CSFの例を示すである。
【図６】レベル制御処理について説明するフローチャートである。
【図７】フィルタバンドの帯域幅について説明する図である。
【図８】フィルタバンドのレベルについて説明する図である。
【図９】フィルタバンドの例を示す図である。
【図１０】帯域毎のレベル調整について説明する図である。
【図１１】帯域毎のレベル調整について説明する図である。
【図１２】帯域毎のレベル調整について説明する図である。
【図１３】コンピュータの一実施の形態の構成例を示すブロック図である。
【図１４】本技術を適用した撮像装置の構成例を示すブロック図である。
【図１５】本技術を適用したテレビジョン受像機の構成例を示すブロック図である。
【図１６】本技術を適用した携帯電話機の構成例を示すブロック図である。
【図１７】本技術を適用した印刷装置の構成例を示すブロック図である。
【発明を実施するための形態】
【００２１】
以下、本技術の実施の形態について図を参照して説明する。
【００２２】
［画像処理装置の構成例］
図１は、本技術を適用した画像処理装置の一実施の形態の構成例を示すブロック図である。
【００２３】
図１の画像処理装置１は、入力された入力画像に対して、所定の画像処理を施すほか、入力画像に対して、ノイズを除去するノイズリダクション処理を施し、得られた画像を出力する。
【００２４】
図１の画像処理装置１は、パラメータ設定部１１、色空間変換部１２、周波数変換部１３、CSF設定部１４、乗算部１５、レベル制御部１６、周波数逆変換部１７、および色空間逆変換部１８から構成される。
【００２５】
パラメータ設定部１１は、入力画像に関するパラメータを設定し、そのパラメータをレベル制御部１６に供給する。
【００２６】
色空間変換部１２は、入力画像の画素の画素値を表現する色空間を、他の色空間に変換し、他の色空間で表現される画素値の画素から構成される入力画像を、周波数変換部１３に供給する。また、色空間変換部１２は、他の色空間を表す情報をCSF設定部１４に供給する。
【００２７】
周波数変換部１３は、色空間変換部１２からの、他の色空間で表現される入力画像の信号成分を周波数成分に変換し、乗算部１５に供給する。
【００２８】
CSF設定部１４は、色空間変換部１２からの色空間を表す情報に基づいて、入力画像の色空間変換後の色空間に対応する人間の視覚特性（視覚の空間周波数特性）を表すCSF（Contrast Sensitivity Function）（コントラスト感度関数）を設定し、乗算部１５に供給する。
【００２９】
乗算部１５は、周波数変換部１３からの入力画像の周波数成分に、CSF設定部１４からのCSFを乗算し、レベル制御部１６に供給する。
【００３０】
レベル制御部１６は、パラメータ設定部１１からの入力画像に関するパラメータに応じて、乗算部１５からの、CSFが乗算された入力画像の周波数成分を表すパワースペクトルのレベル（パワースペクトルレベル）を、周波数帯域毎に制御する。パワースペクトルレベルが制御された入力画像の周波数成分は、周波数逆変換部１７に供給される。
【００３１】
周波数逆変換部１７は、レベル制御部１６からの入力画像の周波数成分を元の信号成分に逆変換し、色空間逆変換部１８に供給する。
【００３２】
色空間逆変換部１８は、周波数逆変換部１７からの入力画像の画素の画素値を表現する色空間を元の色空間に逆変換し、元の色空間で表現される画素値の画素から構成される入力画像を出力する。
【００３３】
［レベル制御部の構成例］
次に、図２を参照して、図１のレベル制御部１６の構成例について説明する。
【００３４】
図２のレベル制御部１６は、フィルタバンド設定部３１、およびレベル調整部３２から構成される。
【００３５】
フィルタバンド設定部３１は、パラメータ設定部１１からの入力画像のパラメータに応じて、入力画像の理想的な周波数成分としてのパワースペクトルを表すフィルタバンドを設定し、レベル調整部３２に供給する。
【００３６】
レベル調整部３２は、フィルタバンド設定部３１からのフィルタバンドを用いて、理想的なパワースペクトルとなるように、乗算部１５からの入力画像のパワースペクトルレベルを帯域毎に調整し、その結果を周波数逆変換部１７に供給する。
【００３７】
［ノイズリダクション処理について］
以下、画像処理装置１によるノイズリダクション処理について説明する。
【００３８】
図３は、画像処理装置１によるノイズリダクション処理について説明するフローチャートである。
【００３９】
ステップＳ１１において、パラメータ設定部１１は、入力画像に関するパラメータとして、例えば、画作り思想（ノイズ除去を重視するか、解像度向上を重視するか、ノイズ除去と解像度向上とのバランスを図るか等）を表す情報を設定する。また、パラメータとして、カメラのカテゴリ（例えば、デジタルカメラ、携帯電話機のカメラ、監視カメラ等）を表す情報や、撮像シーン（日中、夜景、晴天、曇天等）を表す情報等、入力画像が得られた条件を表す情報が設定されてもよい。
【００４０】
なお、これらのパラメータは、パラメータ設定部１１が入力画像を解析することで設定されるようにしてもよいし、ユーザの操作入力に応じて設定されるようにしてもよい。
【００４１】
このようにして設定されたパラメータは、レベル制御部１６に供給される。
【００４２】
ステップＳ１２において、色空間変換部１２は、入力画像の画素の画素値を表現する色空間の変換を行う。ここでは、RGB色空間から反対色空間への変換を例に挙げて説明する。
【００４３】
まず、式（１）で与えられるsRGB（standard RGB）色空間の入力画像の画像データ（RsRGB,GsRGB,BsRGB）が、式（２）に示されるように、０乃至１の値に正規化される。
【００４４】
【数１】
2014044645.tif 000003
・・・（１）
【００４５】
【数２】
2014044645.tif 000004
・・・（２）
【００４６】
ここで、入力画像にガンマ補正処理が施されている場合、式（２）で与えられる画像データ（R'sRGB,G'sRGB,B'sRGB）には、以下の式（３）または式（４）に示されるように、逆ガンマ補正が施され、画像データ（R''sRGB,G''sRGB,B''sRGB）が得られる。
【００４７】
【数３】
2014044645.tif 000005
・・・（３）
【００４８】
【数４】
2014044645.tif 000006
・・・（４）
【００４９】
なお、式（３）は、画像データの各成分R'sRGB,G'sRGB,B'sRGBのそれぞれが0.04045以下である場合、式（４）は、画像データの各成分R'sRGB,G'sRGB,B'sRGBのそれぞれが0.04045以上である場合に適用される。
【００５０】
続いて、式（３）または式（４）で与えられる画像（R''sRGB,G''sRGB,B''sRGB）は、以下の式（５）で示されるように、XYZ色空間（D65光源下）の画像（XD,YD,ZD）に変換される。
【００５１】
【数５】
2014044645.tif 000007
・・・（５）
【００５２】
さらに、式（５）で与えられる画像データ（XD,YD,ZD）は、以下の式（６）に示されるように、Ｅ光源下の画像データ（XE,YE,ZE）に変換される。
【００５３】
【数６】
2014044645.tif 000008
・・・（６）
【００５４】
そして、式（６）で与えられる画像データ（XE,YE,ZE）は、反対色空間の３組（White-Black，Red-Green，Yellow-Blue）の表色系に変換され、以下の式（７）に示される、反対色空間の画像データ（SW-K,SR-G,SY-B）が得られる。
【００５５】
【数７】
2014044645.tif 000009
・・・（７）
【００５６】
このようにして、RGB色空間から反対色空間への色空間の変換が行われる。
【００５７】
そして、色空間変換部１２は、色空間が変換された入力画像を周波数変換部１３に供給するとともに、変換後の色空間を表す情報を、CSF設定部１４に供給する。
【００５８】
なお、上述した説明では、反対色空間への色空間の変換が行われるものとしたが、これに限らず、L*a*b*空間への色空間の変換やL*u*v*空間への色空間の変換等、その他の色空間への変換が行われるようにしてもよい。
【００５９】
ステップＳ１３において、周波数変換部１３は、色空間変換部１２からの色空間変換後の入力画像に対して周波数解析を施すことで、入力画像の各信号成分を周波数成分に変換し、乗算部１５に供給する。入力画像の各信号成分に対して施される周波数解析としては、例えば、FFT（Fast Fourier Transform）、DFT（Discrete Fourier Transform）、ウェーブレット変換等が行われる。
【００６０】
これにより、入力画像の各信号成分の周波数成分として、例えば、図４に示されるようなパワースペクトル分布が得られる。図４において、横軸は空間周波数を示しており、縦軸はパワースペクトルの強度（レベル）を示している。なお、入力画像にノイズが含まれている場合、横軸の空間周波数は、ノイズの粗さ、つまりノイズの粒状度（粒の大きさ）を示すことになる。すなわち、低い周波数帯域のノイズは粒状度が大きく、高い周波数帯域のノイズは粒状度が小さいとされる。
【００６１】
ステップＳ１４において、CSF設定部１４は、色空間変換部１２からの色空間を表す情報に基づいて、色空間変換後の入力画像の色空間に対応するCSFを設定し、乗算部１５に供給する。CSFは、色空間の成分毎に予め用意されており、色空間変換後の入力画像の色空間の成分に応じて設定される。例えば、入力画像がRGB色空間から反対色空間に変換された場合、図５に示されるような、反対色空間の各成分W-K，R-G，Y-Bのそれぞれに対応するCSFが設定される。
【００６２】
図５において、横軸は空間周波数、縦軸は人間の視覚の感度を表しており、実線、一点鎖線、破線で示される各グラフは、反対色空間の各成分W-K，R-G，Y-Bのそれぞれに対応するCSFを示している。
【００６３】
図５に示されるように、反対色空間の成分W-Kに対する人間の視覚の感度は、空間周波数が０のときが最も低く、ある空間周波数でピークを示し、それ以降は緩やかに下降して、高域にいくほど低くなる。また、反対色空間の成分R-G，Y-Bに対する人間の視覚の感度は、空間周波数が０のときにピークを示し、それ以降は緩やかに下降して、高域にいくほど低くなる。
【００６４】
図３のフローチャートに戻り、ステップＳ１５において、乗算部１５は、周波数変換部１３からの入力画像の信号成分毎の周波数成分に、CSF設定部１４からの各成分に対応するCSFを乗算し、レベル制御部１６に供給する。CSFが乗算された周波数成分は、人間の視覚の感度が考慮されたパワースペクトルとして表現されるようになる。
【００６５】
ステップＳ１６において、レベル制御部１６は、パラメータ設定部１１からの入力画像のパラメータに応じて、乗算部１５からの、CSFが乗算された入力画像のパワースペクトルレベルを、周波数帯域毎に制御するレベル制御処理を実行する。
【００６６】
［レベル制御処理について］
ここで、図６のフローチャートを参照して、レベル制御部１６によるレベル制御処理について説明する。
【００６７】
ステップＳ３１において、フィルタバンド設定部３１は、パラメータ設定部１１からの入力画像に関するパラメータに応じてフィルタバンドを設定する。具体的には、フィルタバンド設定部３１は、入力画像に関するパラメータに応じた周波数成分の帯域幅、および各帯域のパワースペクトルレベルを有するフィルタバンドを設定する。
【００６８】
例えば、フィルタバンド設定部３１は、入力画像に関するパラメータとしての、撮像シーンを表す情報に応じて、図７Ａに示されるように、フィルタバンドの帯域幅を細かく分割するか、または、図７Ｂに示されるように、フィルタバンドの帯域幅を粗く分割するかを設定する。
【００６９】
また、フィルタバンド設定部３１は、入力画像に関するパラメータとしての、画作り思想を表す情報に応じて、図８に示されるように、分割されたフィルタバンドの帯域毎に、パワースペクトルレベルを所定のレベルLpsより大きくするか、または小さくするかを設定する。なお、ここで設定されるパワースペクトルレベルは、例えば、CSF設定部１４によって設定されたCSFに基づいて決定されるようにしてもよい。
【００７０】
このようにして、例えば、図９に示されるようなフィルタバンドが設定される。
【００７１】
図９に示されるフィルタバンドは、図７Ａに示される帯域幅に分割されており、人間の視覚においてノイズが目立つとされる帯域のパワースペクトルレベルが低域になる程小さく、人間の視覚において解像度に効くとされる帯域のうちの中間の帯域のパワースペクトルレベルが大きく設定されている。
【００７２】
このようにして得られたフィルタバンドを用いて、入力画像のパワースペクトルレベルが帯域毎に調整される。
【００７３】
すなわち、ステップＳ３２において、レベル調整部３２は、フィルタバンド設定部３１からのフィルタバンドを用いて、入力画像に関するパラメータに適した、理想的なパワースペクトルとなるように、乗算部１５からの入力画像のパワースペクトルレベルを帯域毎に調整する（合わせ込む）。
【００７４】
具体的には、レベル調整部３２は、フィルタバンドの各帯域に対応するBPF（Band Pass Filter）を用いて、入力画像のパワースペクトルレベルを帯域毎に調整する。BPFによれば、所望の帯域のパワースペクトルレベルを調整することができるようになる。
【００７５】
ここで、図１０乃至図１２を参照して、BPFを用いた帯域毎のパワースペクトルレベルの調整について説明する。ここでは、入力画像の周波数成分として、CZP（Circular Zone Plate）を用いた例を説明する。CZPは、正弦（または余弦）曲線を二次元表現したもので、画像の中心を原点とする同心円が幾重にも並び、中心から外側に向かって空間周波数が高くなっていく画像である。
【００７６】
まず、レベル調整部３２は、図１０に示されるように、CZP１０１に対して、５種類のLPF（Low Pass Filter）を用いてフィルタ処理を施す。図１０の例では、サンプリング周波数fsに対してそれぞれ1/4fs，1/8fs，1/16fs，1/32fs，1/64fs以下の周波数成分を透過するLPFを用いたフィルタ処理によって、フィルタ処理後のCZP１１１乃至１１５が得られる。フィルタ処理後のCZP１１１は、CZP１０１の中域から高域の空間周波数がカットされた画像であり、フィルタ処理後のCZP１１５に近づくほど、CZP１０１においてカットされる帯域が低域側に広がっていく。
【００７７】
次に、レベル調整部３２は、CZP１０１において、所望の帯域の周波数成分を抽出する。具体的には、フィルタ処理後のCZP１１１乃至１１５のうちの２つの差分をとることで、CZP１０１における所望の帯域の周波数成分が抽出される。
【００７８】
例えば、図１１に示されるように、フィルタ処理後のCZP１１１とCZP１１２との差分をとり、その結果に対して０乃至255のレベル制御を行うことで、1/8fs乃至1/4fs間の周波数成分を透過したCZP１２１が得られる。これは、入力画像であるCZP１０１に対して、1/8fs乃至1/4fs間の周波数成分を透過するBPFを用いてフィルタ処理を施すことに等しい。なお、０乃至255のレベル制御は、入力画像の周波数成分において、調整の対象となる帯域のレベルの調整量に応じて行われる。
【００７９】
そして、レベル調整部３２は、例えば図１２に示されるように、入力画像としてのCZP１０１と、BPF処理が施されたCZP１２１との差分をとり、正規化することで、BPFに対応する帯域について、入力画像のパワースペクトルレベルを調整する。図１２に示されるように、調整の結果得られたCZP１３１に対応する正弦曲線において、BPFの透過帯域を示す帯域Ｐの振幅が小さく調整されるようになる。
【００８０】
このようにして、パワースペクトルレベルが理想的なレベルに制御された入力画像の周波数成分は、周波数逆変換部１７に供給され、処理は、図３のフローチャートのステップＳ１６に戻る。
【００８１】
なお、１回のレベル制御処理で、パワースペクトルレベルが理想的なレベルに制御されなかった場合、パワースペクトルレベルが理想的なレベルに制御されるまで、レベル制御処理は繰り返される。
【００８２】
ステップＳ１６の後、ステップＳ１７において、周波数逆変換部１７は、レベル制御部１６からの入力画像の周波数成分を元の信号成分に逆変換し、色空間逆変換部１８に供給する。ここでは、ステップＳ１３において行われた周波数変換に対応する周波数逆変換が行われる。
【００８３】
ステップＳ１８において、色空間逆変換部１８は、周波数逆変換部１７からの入力画像を表現する色空間を元の色空間に逆変換し、元の色空間で表現される画像を出力する。ここでは、ステップＳ１３において行われた色空間変換に対応する色空間逆変換が行われる。
【００８４】
以上の処理によれば、色空間が変換された入力画像の色空間に対応するCSFに応じて、入力画像の周波数成分を表すパワースペクトルレベルが帯域毎に制御されるので、入力画像に対して、人間の視覚特性が考慮されたノイズリダクション処理を施すことができ、より効果的にノイズを除去することが可能となる。
【００８５】
また、ノイズリダクション処理において、人間の視覚特性が考慮されるので、過剰なノイズ補正を行うことを避けることができ、これに要する回路規模を削減することも可能となる。
【００８６】
さらに、入力画像に関するパラメータに応じて、入力画像の理想的な周波数成分としてのパワースペクトルを表すフィルタバンドが設定されるので、ノイズ感と解像感とのバランスの取れた画像を得ることが可能となる。すなわち、ノイズに対して感度が高い周波数帯域では、ノイズを除去し、解像度に対して感度が高い周波数帯域では、解像度を向上させることができる。
【００８７】
なお、上述した処理においては、フィルタバンドは、入力画像に関するパラメータに応じて、その帯域幅や帯域毎のパワースペクトルレベルが設定されるものとしたが、入力画像に関するパラメータに対応する帯域幅や帯域毎のパワースペクトルレベルを有するフィルタバンドを予め用意しておき、入力画像に関するパラメータに応じて、対応するフィルタバンドが選択されるようにしてもよい。
【００８８】
また、本技術によれば、特定の帯域に対してのパワースペクトルレベルの制御が可能となるので、画像のエッジをぼかす等、画像にエフェクトをかけることも可能となる。
【００８９】
さらに、本技術を、画質評価等のベンチマークに適用した場合には、評価対象となる画像に施されている信号処理の思想を容易に解析することができるようになる。
【００９０】
また、本技術のフィルタバンドを、固体撮像装置（イメージセンサ）の製造過程におけるノイズ分布の目標値として用いることで、固体撮像装置の品質確認作業の効率化を図るとともに、精度の高い固体撮像装置を出荷することが可能となる。
【００９１】
なお、上述した処理は、入力画像が動画像である場合には、１フレームまたは数フレーム単位で繰り返し行われる。これにより、例えば撮像シーンが切り替わった場合等、画像に変化があった場合であっても、フィルタバンドが最適に変更されるので、人間の視覚に違和感を覚えさせない程度で、入力画像に適したノイズリダクション処理を行うことが可能となる。
【００９２】
[本技術を適用したコンピュータの説明]
上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。ここで、コンピュータには、専用のハードウェアに組み込まれているコンピュータや、各種のプログラムをインストールすることで、各種の機能を実行することが可能な、例えば汎用のパーソナルコンピュータなどが含まれる。
【００９３】
図１３は、上述した一連の処理をプログラムにより実行するコンピュータのハードウェアの構成例を示すブロック図である。
【００９４】
コンピュータ５００において、CPU（Central Processing Unit）５０１，ROM（Read Only Memory）５０２，RAM（Random Access Memory）５０３は、バス５０４により相互に接続されている。
【００９５】
バス５０４には、さらに、入出力インタフェース５０５が接続されている。入出力インタフェース５０５には、入力部５０６、出力部５０７、記憶部５０８、通信部５０９、およびドライブ５１０が接続されている。
【００９６】
入力部５０６は、キーボード、マウス、マイクロホンなどよりなる。出力部５０７は、ディスプレイ、スピーカなどよりなる。記憶部５０８は、ハードディスクや不揮発性のメモリなどよりなる。通信部５０９は、ネットワークインタフェースなどよりなる。ドライブ５１０は、磁気ディスク、光ディスク、光磁気ディスク、又は半導体メモリなどのリムーバブルメディア５１１を駆動する。
【００９７】
以上のように構成されるコンピュータ５００では、CPU５０１が、例えば、記憶部５０８に記憶されているプログラムを、入出力インタフェース５０５及びバス５０４を介して、RAM５０３にロードして実行することにより、上述した一連の処理が行われる。
【００９８】
コンピュータ５００（CPU５０１）が実行するプログラムは、例えば、パッケージメディア等としてのリムーバブルメディア５１１に記録して提供することができる。また、プログラムは、ローカルエリアネットワーク、インターネット、デジタル衛星放送といった、有線または無線の伝送媒体を介して提供することができる。
【００９９】
コンピュータ５００では、プログラムは、リムーバブルメディア５１１をドライブ５１０に装着することにより、入出力インタフェース５０５を介して、記憶部５０８にインストールすることができる。また、プログラムは、有線または無線の伝送媒体を介して、通信部５０９で受信し、記憶部５０８にインストールすることができる。その他、プログラムは、ROM５０２や記憶部５０８に、あらかじめインストールしておくことができる。
【０１００】
なお、コンピュータ５００が実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１０１】
さらに、本技術は、任意の電子機器に適用することができる。以下では、その例について説明する。
【０１０２】
［撮像装置の構成例］
図１４は、本技術を適用した撮像装置の構成例を示している。撮像装置６００は、被写体を撮像し、被写体の画像を表示部に表示させたり、それを画像データとして、記録媒体に記録する。
【０１０３】
撮像装置６００は、光学ブロック６０１、撮像部６０２、カメラ信号処理部６０３、画像データ処理部６０４、表示部６０５、外部インタフェース部６０６、メモリ部６０７、メディアドライブ６０８、OSD（On Screen Display）部６０９、制御部６１０を有している。また、制御部６１０には、ユーザインタフェース部６１１が接続されている。さらに、画像データ処理部６０４や外部インタフェース部６０６、メモリ部６０７、メディアドライブ６０８、OSD部６０９、制御部６１０等は、バス６１２を介して接続されている。
【０１０４】
光学ブロック６０１は、フォーカスレンズや絞り機構等を用いて構成されている。光学ブロック６０１は、被写体の光学像を撮像部６０２の撮像面に結像させる。撮像部６０２は、CCD（Charge Coupled Device）またはCMOS（Complementary Metal Oxide Semiconductor）イメージセンサを用いて構成されており、光電変換によって光学像に応じた電気信号を生成してカメラ信号処理部６０３に供給する。
【０１０５】
カメラ信号処理部６０３は、撮像部６０２から供給された電気信号に対してガンマ補正や色補正等の種々のカメラ信号処理を行う。カメラ信号処理部６０３は、カメラ信号処理後の画像データを画像データ処理部６０４に供給する。
【０１０６】
なお、撮像部６０２とカメラ信号処理部６０３とは、それぞれ独立して別個に形成されてもよいし、平置型や積層型等の一体型（ワンチップ）で形成されてもよい。
【０１０７】
画像データ処理部６０４は、カメラ信号処理部６０３から供給された画像データの符号化処理を行う。画像データ処理部６０４は、符号化処理を行うことにより生成された符号化データを外部インタフェース部６０６やメディアドライブ６０８に供給する。また、画像データ処理部６０４は、外部インタフェース部６０６やメディアドライブ６０８から供給された符号化データの復号処理を行う。画像データ処理部６０４は、復号処理を行うことにより生成された画像データを表示部６０５に供給する。また、画像データ処理部６０４は、カメラ信号処理部６０３から供給された画像データを表示部６０５に供給する処理や、OSD部６０９から取得した表示用データを、画像データに重畳させて表示部６０５に供給する。
【０１０８】
OSD部６０９は、記号、文字、または図形からなるメニュー画面やアイコンなどの表示用データを生成して画像データ処理部６０４に出力する。
【０１０９】
外部インタフェース部６０６は、例えば、USB（Universal Serial Bus）入出力端子などで構成され、画像の印刷を行う場合に、プリンタと接続される。また、外部インタフェース部６０６には、必要に応じてドライブが接続され、磁気ディスク、光ディスク等のリムーバブルメディアが適宜装着され、それらから読み出されたコンピュータプログラムが、必要に応じて、インストールされる。さらに、外部インタフェース部６０６は、LANやインターネット等の所定のネットワークに接続されるネットワークインタフェースを有する。制御部６１０は、例えば、ユーザインタフェース部６１１からの指示にしたがって、メモリ部６０７から符号化データを読み出し、それを外部インタフェース部６０６から、ネットワークを介して接続される他の装置に供給させることができる。また、制御部６１０は、ネットワークを介して他の装置から供給される符号化データや画像データを、外部インタフェース部６０６を介して取得し、それを画像データ処理部６０４に供給したりすることができる。
【０１１０】
メディアドライブ６０８で駆動される記録メディアとしては、例えば、磁気ディスク、光磁気ディスク、光ディスク、または半導体メモリ等の、読み書き可能な任意のリムーバブルメディアが用いられる。
【０１１１】
また、メディアドライブ６０８と記録メディアを一体化し、例えば、内蔵型ハードディスクドライブやSSD（Solid State Drive）等のように、非可搬性の記憶媒体により構成されるようにしてもよい。
【０１１２】
制御部６１０は、CPUやメモリ等を用いて構成されている。メモリは、CPUにより実行されるプログラムやCPUが処理を行う上で必要な各種のデータ等を記憶する。メモリに記憶されているプログラムは、撮像装置６００の起動時などの所定タイミングでCPUにより読み出されて実行される。CPUは、プログラムを実行することで、撮像装置６００がユーザ操作に応じた動作となるように各部を制御する。
【０１１３】
このように構成された撮像装置では、カメラ信号処理部６０３に本技術の画像処理装置（画像処理方法）の機能が設けられる。
【０１１４】
これにより、画像データの色空間に対応するCSFに応じて、画像データの周波数成分を表すパワースペクトルレベルが帯域毎に制御されるので、画像データに対して、人間の視覚特性が考慮されたノイズリダクション処理を施すことができ、より効果的にノイズを除去することが可能となる。
【０１１５】
［テレビジョン受像機の構成例］
図１５は、本技術を適用したテレビジョン受像機の構成例を示している。テレビジョン受像機７００は、アンテナ７０１、チューナ７０２、デマルチプレクサ７０３、デコーダ７０４、映像信号処理部７０５、表示部７０６、音声信号処理部７０７、スピーカ７０８、外部インタフェース部７０９を有している。さらに、テレビジョン受像機７００は、制御部７１０、ユーザインタフェース部７１１を有している。
【０１１６】
チューナ７０２は、アンテナ７０１で受信された放送波信号から所望のチャンネルを選局して復調を行い、得られた符号化ビットストリームをデマルチプレクサ７０３に出力する。
【０１１７】
デマルチプレクサ７０３は、符号化ビットストリームから視聴対象である番組の映像や音声のパケットを抽出して、抽出したパケットのデータをデコーダ７０４に出力する。また、デマルチプレクサ７０３は、EPG（Electronic Program Guide）等のデータのパケットを制御部７１０に供給する。なお、スクランブルが行われている場合、デマルチプレクサ７０３等でスクランブルの解除を行う。
【０１１８】
デコーダ７０４は、パケットの復号処理を行い、復号処理によって生成された映像データを映像信号処理部７０５、音声データを音声信号処理部７０７に出力する。
【０１１９】
映像信号処理部７０５は、映像データに対して、ノイズ除去やユーザ設定に応じた映像処理等を行う。映像信号処理部７０５は、表示部７０６に表示させる番組の映像データや、ネットワークを介して供給されるアプリケーションに基づく処理による画像データなどを生成する。また、映像信号処理部７０５は、項目の選択などのメニュー画面等を表示するための映像データを生成し、それを番組の映像データに重畳する。映像信号処理部７０５は、このようにして生成した映像データに基づいて駆動信号を生成して表示部７０６を駆動する。
【０１２０】
表示部７０６は、映像信号処理部７０５からの駆動信号に基づき表示デバイス（例えば液晶表示素子等）を駆動して、番組の映像などを表示させる。
【０１２１】
音声信号処理部７０７は、音声データに対してノイズ除去などの所定の処理を施し、処理後の音声データのD/A（Digital/Analog）変換処理や増幅処理を行いスピーカ７０８に供給することで音声出力を行う。
【０１２２】
外部インタフェース部７０９は、外部機器やネットワークと接続するためのインタフェースであり、映像データや音声データ等のデータ送受信を行う。
【０１２３】
制御部７１０にはユーザインタフェース部７１１が接続されている。ユーザインタフェース部７１１は、操作スイッチやリモートコントロール信号受信部等で構成されており、ユーザ操作に応じた操作信号を制御部７１０に供給する。
【０１２４】
制御部７１０は、CPUやメモリ等を用いて構成されている。メモリは、CPUにより実行されるプログラムやCPUが処理を行う上で必要な各種のデータ、EPGデータ、ネットワークを介して取得されたデータ等を記憶する。メモリに記憶されているプログラムは、テレビジョン受像機７００の起動時などの所定タイミングでCPUにより読み出されて実行される。CPUは、プログラムを実行することで、テレビジョン受像機７００がユーザ操作に応じた動作となるように各部を制御する。
【０１２５】
なお、テレビジョン受像機７００では、チューナ７０２、デマルチプレクサ７０３、映像信号処理部７０５、音声信号処理部７０７、外部インタフェース部７０９等と制御部７１０を接続するためバス７１２が設けられている。
【０１２６】
このように構成されたテレビジョン受像機では、映像信号処理部７０５に本技術の画像処理装置（画像処理方法）の機能が設けられる。
【０１２７】
これにより、映像データの色空間に対応するCSFに応じて、映像データの周波数成分を表すパワースペクトルレベルが帯域毎に制御されるので、映像データに対して、人間の視覚特性が考慮されたノイズリダクション処理を施すことができ、より効果的にノイズを除去することが可能となる。
【０１２８】
［携帯電話機の構成例］
図１６は、本技術を適用した携帯電話機の構成例を示している。携帯電話機８００は、通信部８０２、音声コーデック８０３、カメラ部８０６、画像処理部８０７、多重分離部８０８、記録再生部８０９、表示部８１０、制御部８１１を有している。これらは、バス８１３を介して互いに接続されている。
【０１２９】
また、通信部８０２にはアンテナ８０１が接続されており、音声コーデック８０３には、スピーカ８０４とマイクロホン８０５が接続されている。さらに制御部８１１には、操作部８１２が接続されている。
【０１３０】
携帯電話機８００は、音声通話モードやデータ通信モード等の各種モードで、音声信号の送受信、電子メールや画像データの送受信、画像撮影、またはデータ記録等の各種動作を行う。
【０１３１】
音声通話モードにおいて、マイクロホン８０５で生成された音声信号は、音声コーデック８０３で音声データへの変換やデータ圧縮が行われて通信部８０２に供給される。通信部８０２は、音声データの変調処理や周波数変換処理等を行い、送信信号を生成する。また、通信部８０２は、送信信号をアンテナ８０１に供給して図示しない基地局へ送信する。また、通信部８０２は、アンテナ８０１で受信した受信信号の増幅や周波数変換処理および復調処理等を行い、得られた音声データを音声コーデック８０３に供給する。音声コーデック８０３は、音声データのデータ伸張やアナログ音声信号への変換を行いスピーカ８０４に出力する。
【０１３２】
また、データ通信モードにおいて、メール送信を行う場合、制御部８１１は、操作部８１２の操作によって入力された文字データを受け付けて、入力された文字を表示部８１０に表示する。また、制御部８１１は、操作部８１２におけるユーザ指示等に基づいてメールデータを生成して通信部８０２に供給する。通信部８０２は、メールデータの変調処理や周波数変換処理等を行い、得られた送信信号をアンテナ８０１から送信する。また、通信部８０２は、アンテナ８０１で受信した受信信号の増幅や周波数変換処理および復調処理等を行い、メールデータを復元する。このメールデータを、表示部８１０に供給して、メール内容の表示を行う。
【０１３３】
なお、携帯電話機８００は、受信したメールデータを、記録再生部８０９で記憶媒体に記憶させることも可能である。記憶媒体は、書き換え可能な任意の記憶媒体である。例えば、記憶媒体は、RAMや内蔵型フラッシュメモリ等の半導体メモリ、ハードディスク、磁気ディスク、光磁気ディスク、光ディスク、USBメモリ、またはメモリカード等のリムーバブルメディアである。
【０１３４】
データ通信モードにおいて画像データを送信する場合、カメラ部８０６で生成された画像データを、画像処理部８０７に供給する。画像処理部８０７は、画像データの符号化処理を行い、符号化データを生成する。
【０１３５】
多重分離部８０８は、画像処理部８０７で生成された符号化データと、音声コーデック８０３から供給された音声データを所定の方式で多重化して通信部８０２に供給する。通信部８０２は、多重化データの変調処理や周波数変換処理等を行い、得られた送信信号をアンテナ８０１から送信する。また、通信部８０２は、アンテナ８０１で受信した受信信号の増幅や周波数変換処理および復調処理等を行い、多重化データを復元する。この多重化データを多重分離部８０８に供給する。多重分離部８０８は、多重化データの分離を行い、符号化データを画像処理部８０７、音声データを音声コーデック８０３に供給する。画像処理部８０７は、符号化データの復号化処理を行い、画像データを生成する。この画像データを表示部８１０に供給して、受信した画像の表示を行う。音声コーデック８０３は、音声データをアナログ音声信号に変換してスピーカ８０４に供給して、受信した音声を出力する。
【０１３６】
このように構成された携帯電話装置では、画像処理部８０７に本技術の画像処理装置（画像処理方法）の機能が設けられる。
【０１３７】
これにより、画像データの色空間に対応するCSFに応じて、画像データの周波数成分を表すパワースペクトルレベルが帯域毎に制御されるので、画像データに対して、人間の視覚特性が考慮されたノイズリダクション処理を施すことができ、より効果的にノイズを除去することが可能となる。
【０１３８】
［印刷装置の構成例］
図１７は、本技術を適用した印刷装置の構成例を示している。印刷装置９００は、CPU９０１、メモリ９０２、メモリ制御部９０３、ホストインタフェース（ホストI/F）部９０４、描画部９０５、ビデオインタフェース（ビデオI/F）部９０６、画像処理部９０７、プリンタエンジン９０８を備えており、ホストコンピュータ９２０と通信可能に接続されている。
【０１３９】
CPU９０１は、印刷装置全体の制御を司る中央演算処理装置であり、メモリ９０２に格納されている制御プログラムに基づき、画像処理部９０７により各種の画像処理を実行する。メモリ９０２は、CPU９０１により実行される制御プログラム、ホストコンピュータ９２０から受信したデータ、描画部９０５によって生成されたビットマップ画像データ等を格納する。メモリ制御部９０３は、CPU９０１、ホストI/F部９０４、描画部９０５、ビデオI/F部９０６からのメモリ９０２に対するアクセスを制御する。ホストI/F部９０４は、印刷装置９００とホストコンピュータ９２０との間の通信を司る。描画部９０５は、ビットマップ画像データを生成する。
【０１４０】
ビデオI/F部９０６は、メモリ９０２上に描画されたデータをシリアルのビデオ信号に変換する。画像処理部９０７は、対象画素データの周囲の画素データに応じて対象画素を高解像度変換する。プリンタエンジン９０８は、２つのレーザ光源を備えており、各レーザ光源から発光させたレーザビームを感光ドラムに照射して感光ドラム上に潜像を形成し、潜像を現像して印刷媒体に画像を転写する印刷動作を行う。
【０１４１】
このように構成された印刷装置では、画像処理部９０７に本技術の画像処理装置（画像処理方法）の機能が設けられる。
【０１４２】
これにより、画像データの色空間に対応するCSFに応じて、画像データの周波数成分を表すパワースペクトルレベルが帯域毎に制御されるので、画像データに対して、人間の視覚特性が考慮されたノイズリダクション処理を施すことができ、より効果的にノイズを除去することが可能となる。
【０１４３】
なお、本技術の実施の形態は、上述した実施の形態に限定されるものではなく、本技術の要旨を逸脱しない範囲において種々の変更が可能である。
【０１４４】
また、本技術は、１つの機能をネットワークを介して複数の装置で分担、共同して処理するクラウドコンピューティングの構成をとることができる。
【０１４５】
また、上述のフローチャートで説明した各ステップは、１つの装置で実行する他、複数の装置で分担して実行することができる。
【０１４６】
さらに、１つのステップに複数の処理が含まれる場合には、その１つのステップに含まれる複数の処理は、１つの装置で実行する他、複数の装置で分担して実行することができる。
【０１４７】
また、本技術は以下のような構成をとることができる。
（１）
入力画像を表現する第１の色空間を、第２の色空間に変換する色空間変換部と、
前記第２の色空間で表現される前記入力画像を周波数成分に変換する周波数変換部と、
前記第２の色空間に対応するCSF（Contrast Sensitivity Function）を設定するCSF設定部と、
前記CSFに応じて、前記入力画像の周波数成分のレベルを帯域毎に制御するレベル制御部と
を備える画像処理装置。
（２）
前記入力画像の周波数成分に前記CSFを乗算する乗算部をさらに備え、
前記レベル制御部は、前記CSFが乗算された前記入力画像の周波数成分を表すパワースペクトルレベルを帯域毎に制御する
（１）に記載の画像処理装置。
（３）
前記レベル制御部は、
前記入力画像に関するパラメータに応じて、前記入力画像の理想的な周波数成分としてのパワースペクトルを表すフィルタバンドを設定するフィルタバンド設定部と、
前記フィルタバンドを用いて、前記入力画像のパワースペクトルレベルを帯域毎に調整するレベル調整部とを備える
（２）に記載の画像処理装置。
（４）
前記フィルタバンド設定部は、前記入力画像のパラメータに応じた周波数成分の帯域幅およびパワースペクトルレベルの前記フィルタバンドを設定する
（３）に記載の画像処理装置。
（５）
前記レベル調整部は、前記フィルタバンドの各帯域に対応するBPF（Band Pass Filter）を用いて、前記入力画像のパワースペクトルレベルを帯域毎に調整する
（３）または（４）に記載の画像処理装置。
（６）
前記入力画像に関するパラメータを設定するパラメータ設定部をさらに備える
（３）乃至（５）のいずれかに記載の画像処理装置。
（７）
入力画像を表現する第１の色空間を、第２の色空間に変換する色空間変換部と、
前記第２の色空間で表現される前記入力画像を周波数成分に変換する周波数変換部と、
前記第２の色空間に対応するCSF（Contrast Sensitivity Function）を設定するCSF設定部と、
前記CSFに応じて、前記入力画像の周波数成分のレベルを帯域毎に制御するレベル制御部とを備える画像処理装置の画像処理方法であって、
前記画像処理装置が、
入力画像を表現する第１の色空間を、第２の色空間に変換し、
前記第２の色空間で表現される前記入力画像を周波数成分に変換し、
前記第２の色空間に対応するCSFを設定し、
前記CSFに応じて、前記入力画像の周波数成分のレベルを帯域毎に制御する
ステップを含む画像処理方法。
（８）
コンピュータを、
入力画像を表現する第１の色空間を、第２の色空間に変換する色空間変換部と、
前記第２の色空間で表現される前記入力画像を周波数成分に変換する周波数変換部と、
前記第２の色空間に対応するCSF（Contrast Sensitivity Function）を設定するCSF設定部と、
前記CSFに応じて、前記入力画像の周波数成分のレベルを帯域毎に制御するレベル制御部と
して機能させるためのプログラム。
（９）
入力画像を表現する第１の色空間を、第２の色空間に変換する色空間変換部と、
前記第２の色空間で表現される前記入力画像を周波数成分に変換する周波数変換部と、
前記第２の色空間に対応するCSF（Contrast Sensitivity Function）を設定するCSF設定部と、
前記CSFに応じて、前記入力画像の周波数成分のレベルを帯域毎に制御するレベル制御部とを備える画像処理部
を備える電子機器。
【符号の説明】
【０１４８】
１  画像処理装置，  １１  パラメータ設定部，  １２  色空間変換部，  １３  周波数変換部，  １４  CSF設定部，  １５  乗算部，  １６  レベル制御部，  ３１  フィルタバンド設定部，  ３２  レベル調整部
【図１】
2014044645.tif 000010
【図２】
2014044645.tif 000011
【図３】
2014044645.tif 000012
【図４】
2014044645.tif 000013
【図５】
2014044645.tif 000014
【図６】
2014044645.tif 000015
【図７】
2014044645.tif 000016
【図８】
2014044645.tif 000017
【図９】
2014044645.tif 000018
【図１０】
2014044645.tif 000019
【図１１】
2014044645.tif 000020
【図１２】
2014044645.tif 000021
【図１３】
2014044645.tif 000022
【図１４】
2014044645.tif 000023
【図１５】
2014044645.tif 000024
【図１６】
2014044645.tif 000025
【図１７】
2014044645.tif 000026